(57)【要約】スノーボード結合具用支持部材（１）は、結合具の基部がスノーボード（２）に関して隆起しうるように、スノーボード（２）の上面と結合具の基部の底面の間に介挿されている支持板（７）を備え、支持部材（１）は、スノーボード（２）に関する支持板（７）の移動方向及び／又は回転方向の調節を許容しうる調節手段と、この調節を可能又は不可能にするように使用者が操作しうる操作手段（９）とを備えている。
2004520127.tif 000002
【特許請求の範囲】
【請求項１】
スノーボード結合具の基部がスノーボード（２）に関して隆起しうるように、前記スノーボード（２）の上面と前記結合具の基部の底面との間で介挿されている支持板（７）を備えていることを特徴とするスノーボード結合具用支持部材（１）。
【請求項２】
前記支持板（７）の前記ボード（２）に関して移動方向及び／又は回転方向に調節しうる調節手段と、前記調節手段を使用可能にする又は使用不能にするように使用者が操作しうる操作手段とを備えていることを特徴とする請求項１に記載の支持部材。
【請求項３】
前記移動方向の調節手段は、
前記スノーボード（２）上に一体に取り付けられているトラック（３）と、
前記トラック上に摺動可能に取り付けられており、かつスライド（４）が移動する時に前記支持板（７）と一体であるスライド（４）と、
前記操作手段（９）で操作しうる移動阻止手段とを備えていることを特徴とする請求項２に記載の支持部材。
【請求項４】
前記移動阻止手段は、前記トラック（３）上に設けられている鋸歯状プロファイル（３３）と、前記スライド（４）上に設けられている係合鋸歯状プロファイル（４３）とを備えていることを特徴とする請求項３に記載の支持部材。
【請求項５】
前記移動阻止手段は、前記トラック上に設けられているほぼ半球形状の窪んだ複数の座部（３５）と、前記トラック（３）の前記窪んだ座部（３５）内に係合するように前記スライド（４）の穴（５２）内に配置された複数の球部材（５３）とを備えていることを特徴とする請求項３に記載の支持部材。
【請求項６】
前記回転方向の調節手段は、
前記支持板が筒状突起部（５０）に関して回転しうるように、前記スノーボード（２）又は前記スライド（４）と一体であり、かつ前記支持板（７）の穴（７１）内に係合する筒状突起部（５０）と、
前記操作手段（９）によって操作しうる回転阻止手段とを備えていることを特徴とする請求項２〜５のいずれか１項に記載の支持部材。
【請求項７】
前記回転阻止手段は、前記支持板（７）の下面に形成されている歯付き座部（７７）内に係合されうる、前記スライド（４）と一体の冠歯車（４４）を備えていることを特徴とする請求項６に記載の支持部材。
【請求項８】
調節できない固定位置と、移動方向及び回転方向の調節ができる非固定位置に前記支持板（７）を移動させるように、前記操作手段（９）は前記支持板（７）及び／又は前記スライド（４）に作用することを特徴とする請求項２〜７のいずれか１項に記載の支持部材。
【請求項９】
前記操作手段（９）は、前記使用者が操作することができ、かつ前記支持板（７）及び／又は前記スライド（４）を固定できるように前記支持板（７）を下げる又は前記スライド（４）を上げるように、前記突起部（５０）のネックを把持しうる把持装置（８）に作用するレバー（９２）を備えていることを特徴とする請求項８に記載の支持部材。
【請求項１０】
前記把持装置（８）は、前記支持板（７）内で回動させられる二つのレバー（８０）を備えていることを特徴とする請求項９に記載の支持部材。
【請求項１１】
前記ばね手段（４５）は、前記支持板（７）を前記スライド（４）から離すように前記スライド（４）と前記支持板（７）の間で介挿されていることを特徴とする請求項３〜１０のいずれか１項に記載の支持部材。
【請求項１２】
前記スノーボードと一体の目盛り付きインジケータ（６）は、前記スノーボード（２）に関する前記支持板（７）の回転方向の調節を示すように、前記スノーボード（２）と前記支持板（７）の間に配置されていることを特徴とする請求項１〜１１のいずれか１項に記載の支持部材。
【請求項１３】
軟らかい材料からなるシム（７６）は、前記スノーボード（２）の衝撃及び振動を減衰させるように、前記スノーボード（２）と前記支持板（７）の間で介挿されていることを特徴とする請求項１〜１２のいずれか１項に記載の支持部材。
【請求項１４】
前記結合具用のカンティングとして作用するように、前記支持板（１７）は傾斜位置で前記スノーボード（２）上に取り付けられていることを特徴とする請求項１〜１３のいずれか１項に記載の支持部材。
【請求項１５】
前記支持板（７）はスノーボード結合具として構成されていることを特徴とする請求項１〜１４のいずれか１項に記載の支持部材。
【請求項１６】
スノーボード結合具の基部は、請求項１〜１５のいずれか１項に記載の支持部材（１）を備えているスノーボード結合具。
【請求項１７】
請求項１〜１５のいずれか１項に記載の支持部材を備えたスノーボード。
【請求項１８】
請求項１６に記載の結合具を備えたスノーボード。
【発明の詳細な説明】
【技術分野】
【０００１】
本発明は、スノーボード結合具用支持部材及びスノーボード結合具に関する。
【背景技術】
【０００２】
公知のように、スノーボードは、木又はガラス繊維強化プラスチックで全体的に構成されているボードを備えている。また、ボードには、使用者が履く軟らかい又は強固なスノーブーツの各々を受容しうる二つの結合具が嵌合されている。
【０００３】
スノーボードのスタイル及び使用者の要望に依って、ボード上に結合具を位置決めすること及び配向することは非常に重要である。
【０００４】
このため、結合具を所望位置で固定するねじ手段を受容しうる複数の穴をボード上に形成する。
【０００５】
さらに、いくつかのタイプの結合具は、角度方向に調節しうるように、結合具に形成された、歯付きリングナットと係合する冠歯車を有する。結合具をボードに固定するねじ手段を受容するように、（３つから５つの）穴が冠歯車に形成されている。
【０００６】
従来技術のこれらのタイプの結合具は、とりわけ、ボード上の位置を調節するのに難しく扱いにくいことによる欠点がある。
【０００７】
実際、使用者がボード上の結合具の位置を変えたい時、つまり、使用者が結合具をボードの先端又は尾部に向けて移動させたい時、使用者は、四つのねじを緩め、結合具を移動させ、ねじを再び締めて結合具をボード上の新しい位置に固定しなければならない。
【０００８】
使用者が結合具をボードに関して回転させたい場合にも同じことが当てはまる。この場合には、実際、使用者はねじを緩め、冠歯車を歯付きリングナットから外し、これらの要素を互いに関して回転させ、冠歯車をリングナットと再び係合させ、ねじをボードに固定しなければならない。
【０００９】
結合具のボードに関する移動及び回転の両方の操作は、いくらか複雑であり、かなり時間がかかり、また、ねじを緩める又は締めるドライバー又はスパナなどの適切な工具を使用しなければならないということが明白である。
【００１０】
さらに、従来技術の結合具はボードに直接的に取り付けられているということで他の欠点もある。
【００１１】
実際、従来の結合具を有するスノーボード上において、使用者は重心を低くし続け、それゆえ、回転する時にスノーボードの一方の縁を他方の縁へ切り換えるのが難しい。さらに、使用者の重量はボード上で一様に分布されておらず、結果的に安定性を欠く。
【発明の開示】
【発明が解決しようとする課題】
【００１２】
本発明の目的は、ボード上の結合具の位置決めの調節のための操作を簡単にすることができる、スノーボード用の結合具用支持部材及び結合具を提供することにより、従来技術の欠点をなくすことである。
【００１３】
本発明の別の目的は、実用的で汎用的で使用が簡単であるスノーボード用の結合具用支持部材及び結合具を提供することである。
【課題を解決するための手段】
【００１４】
これらの目的は、添付した独立請求項１において記載された特徴を有する本発明により実現される。
【００１５】
本発明の有利な実施例は従属請求項から明らかである。
【００１６】
本発明によるスノーボード結合具用支持部材は、ボード上に一体に取り付けられているトラックを有する。冠歯車を支持するスライドが摺動可能にトラック上に取り付けられている。襟部を有する突起部が冠歯車上に取り付けられている。トラック及びスライドの両方は歯プロファイルを有しうる。
【００１７】
冠歯車を受容しうる歯付座部と、冠歯車の突起部がそこから出る中央穴とを有する板が、スライドに取り付けられている。把持具が板上に取り付けられている。把持具が突起部の襟部を把持する時に把持具はそれと係合し、スライドを上昇させたまま保持し、冠歯車は、歯付座部と係合し、板の回転を阻止し、スライドの歯プロファイルがトラックの歯プロファイルと係合し、トラック上でスライドが移動するのを防ぐ。
【００１８】
把持具は使用者操作レバーによって操作される。使用者がレバーを操作して把持具の把持を解放する時、冠歯車が歯付座部から外れ、その結果、支持板がスライドに関して回転することができ、同時に、スライドの歯プロファイルがトラックの歯プロファイルから外れ、その結果、スライドがトラックに関して支持板と一体に移動することができる。
【００１９】
従来のタイプのスノーボードの結合具を支持板上に取り付けることができる。あるいは、支持板は、二つの側壁と、これら側壁とスノーボードのブーツの踵を包囲する後壁とを備えている実質的な結合具として構成することができる。ブーツをしっかりと覆う固定フックを有するストリップが壁に当てられている。
【００２０】
本発明による結合具用支持部材及びスノーボード結合具の利点は明らかである。
【００２１】
実際、レバー又は他の機構を操作する一つのムーブメントを有するこのタイプの支持部材は、結合具の移動方向及び回転方向を同時に調節することができる。これらの調節は、ブーツを結合具から取り外すことなく、また、ねじを緩める工具を使用することなく行われる。
【００２２】
本発明の支持部材により、使用者の重心を上げ、使用中に一方の縁部から別の縁部に移行するのが即時的で反応的になる。
【００２３】
さらに、本発明の支持部材により、使用者のブーツの踵及びつま先は上がったままであり、雪上のスノーボードが傾く時に生じる問題をかなりなくす。
【００２４】
さらに、支持板は有利的には結合具の基部よりも広く、それゆえ、使用者の重量全体を、前部及び後部の両方において、ボードのブレードに直接的に分布させ、スノーボードをしている間により安定させることができる。
【００２５】
さらに、シムを介挿することにより、支持板を特定の傾斜でボード上に取り付けることができ、カンティングとして機能する。衝撃を吸収してボードの振動を低減するゴム製のシムは支持板の下に位置決めされうる。
【００２６】
本発明のさらなる特徴は、添付図面に示される、単なる例示的で非制限実施例を参照することにより、以下の詳細な説明によってより明らかとなるであろう。
【発明を実施するための最良の形態】
【００２７】
本発明の支持部材は、図４において参照番号１で全体的に示され、かつ参照番号２で示されているスノーボード上に組み付けられており、添付図面を参照して記載されている。
【００２８】
図１に示すように、支持部材１は、下側中央部３０とこの中央部３０に関して隆起した二つの側部３１とを備えたトラック３を備えている。
【００２９】
トラック３をボード２の上面上に固定するねじ手段を受容しうる穴３２が中央部３０にある。特に、四対の一穴３２及び二対の二穴３２´とが設けられている。二穴３２´は、隣接した二つの一穴で構成されている。各対の穴は、第一の隆起した側部３１近傍の第一穴と、第二の隆起した側部近傍の第二穴とを有する。これら穴３２、３２´は、互いからほぼ等距離である。
【００３０】
止め具として機能するように上方に突出している二つの当接面３４が中央部３０の両端部にある。
【００３１】
トラック３の側部３１は、鋸歯状プロファイル３３を底面において有する。
【００３２】
スライド４はトラック３上に摺動可能に取り付けられている。スライド４は、下方に折られた側フラップ４０を有する矩形板４２で構成されている。このように、側フラップ４０の断面は、トラック３の側部３１を受容しうる間隙部４１を有する、ほぼＣ字形状である。
【００３３】
側フラップ４０の底部は、上方に面している鋸歯状プロファイル４３を有している。この鋸歯状プロファイル４３は、トラック３の側部３１の鋸歯状プロファイル３３と係合する。このように、トラック３の側部３１がスライド４の側部の間隙部４１の内側にあるように、スライド４がトラック３上に位置決めされ、スライドはトラック上で摺動しうる。一方、スライド４が上方に上げられる時、スライドの側部の鋸歯状プロファイル４３は、トラックの側部の鋸歯状プロファイル３３と係合し、スライド４の移動が阻止される。
【００３４】
冠歯車４４は、中央においてスライド４上に取り付けられている。上方に向けて直径が増大しているほぼ切頭円錐形状の突起部５０が、冠歯車４４上に取り付けられている。突起部５０は、外側に向けて突出している襟部５１において終わっている。
【００３５】
二つのばね４５が冠歯車４４と並んでスライド４上に設けられている。各ばね４５は、スライド４及び自由部４７と一体の固定部４６を有する。上方に面している中央のベローズ部４８が固定部４６と自由部４７の間にある。
【００３６】
図１Ａを参照して、トラック３及びスライド４の組立体の変形実施例を示している。この場合、トラック３は、鋸歯状プロファイル３３を有する代りに、側部３１の上面において、ほぼ半球形状凹状を有する複数の座部３５を有する。
【００３７】
したがって、スライド４は、鋸歯状プロファイル４３及び板ばね４５を有しない。その代り、スライド４の矩形板４２の四つの角部近傍において、半球形状座部３５内に正確に嵌合する四つの球部材５３の通過を許容しうる四つの円形貫通穴５２が設けられている。
【００３８】
このように、球状キャップの一部分は各座部３５内に嵌合し、球状キャップの別の部分はスライド４の矩形板４２から上方に突出しうる。
【００３９】
図２に示す目盛り付きインジケータ６は、トラック３上に取り付けられているスライド４周りで、テーブル２上に位置決めされている。目盛り付きインジケータ６は、スライド４及びトラック３を受容するために矩形状の中央穴６０を有するディスク形状板で構成されている。０から３６０°まで及んでいる目盛り６１が目盛り付きインジケータ６の周面上に設けられている。
【００４０】
図２に示すように、ボード２の幅とほぼ等しいかボード２の幅よりもわずかに小さい幅のほぼ楕円形状を有する支持板７が目盛り付きインジケータ６上に位置決めされている。
【００４１】
支持板７は中央穴７１を有する。支持板７が切頭円錐形状突起部５０周りで回転自由であるように、突起部５０は中央穴７１を通過しうる。
【００４２】
図３に示すように、支持板７は、底面において、中央穴７１周りにおいて、外歯プロファイルによって区画されているドーナツ形状の窪んだ座部７７を有する。座部７７は冠歯車４４の直径とほぼ等しい外径を有し、座部７７の外歯プロファイル７８は冠歯車４４の歯プロファイルと係合する。
【００４３】
支持板７は、目盛り付きインジケータ６をボード２と接触するようになるようにインジケータ６を横で包囲する、クォータームーン形状の側スペーサ又はシム７６をさらに有する。
【００４４】
支持板７がスライド４上に位置決めされる時、ばね４５の中央部４８が支持板７の底面と接触するようになり、ばね４５の中央部４８により支持板７の底面がスライド４に関して隆起されたままに保たれ、冠歯車４４は支持板７の歯付き座部７７の歯プロファイル７８と係合せず、支持板７は突起部５０周りで回転自由である。この状況において、さらに、支持板７の重量によりスライド４を下方に押し、それゆえ、スライド４の鋸歯プロファイル４３はトラック３の鋸歯プロファイル３３と係合せず、その結果、スライド４は、トラック３の上方で移動することができ、トラック３と共に支持板７を運搬している。図１Ａの変形例の場合、球部材５３は、スライドのトラック５２の座部３５内で回転自由であり、スライド４はトラック３に沿って移動することができる。
【００４５】
図２を参照すると、Ｕの最低部分が穴を備えている、ほぼＵ字形状の窪んだ座部７０が支持板７の上面に設けられている。穴７１の後方にＵ字形状座部７０の端部において回動穴７２が設けられており、その一方で、結合具の固定のための固定ねじを受容しうる他の穴７５が支持板７上に設けられている。
【００４６】
支持板７は、Ｕの最低部分の反対の位置においてＵ字形状座部の二等分線に沿って配置された突起部７３を有する。突起部７３は、板７の平面と平行な貫通穴７４を有する。
【００４７】
ほぼナットクラッカー形状の把持装置８は、支持板７の座部７０内で受容されている。把持装置８は、座部７０のピン座部７２内に係合するピン８１によってそれらの端部で回動させられる二つのレバー８０を備えている。
【００４８】
厚さを最小化するために、把持装置は、Ｕ字形状座部７０内で形成されている各穴内の各ピンによってヒンジ留めされた、別個の二つのレバーを有してもよい。
【００４９】
各レバー８０は、鈍角を有する外側プロファイルを有する。各レバー８０は、レバー８０が回動する端部近傍において半円形内側プロファイル８３を有する。各レバー８０は、レバー８０が回動させられる端部と反対の端部において、レバーのピン８１の軸線と直角な軸線を持つ貫通穴８２を有する筒状ブロックを有する。
【００５０】
把持装置８が支持板の座部７０内に収納される時、レバー８の半円形状プロファイル８３は、突起部５０を包囲し、突起部５０の襟部５１の下にあるままである。レバー８０の筒状端ブロックの穴８２は、支持板７の端部７３の穴７４とほぼ同軸のままである。
【００５１】
操縦装置９が把持装置８に設けられている。操縦装置９は、把持装置のレバー８０の穴８２と支持板の端部７３の穴７４に挿入されるステム９０を有する。
【００５２】
ロックナット９１がステム９０の一端において固定されている。ステム９０の他端は、ステム９０の軸線と直角な軸線を有するピン９３によって、使用者が操作しうる操作レバー９２と一体のカム９４へヒンジ留めされている。
【００５３】
本発明によるスノーボード結合具用支持部材１の操作について図４を参照して以下に記載する。
【００５４】
使用者が支持板７を固定したい時、使用者は、操作レバー９２を手で操作して支持板７を固定位置に移動させる。固定位置では、操作レバー９２のカム９４が把持装置のレバー８０の端ブロックを押してレバー８０の二つの端部を一緒にする。その結果、レバー８０の半円形プロファイル８３は、突起部５０の円錐形状面を把持して上昇させる機能を有している。
【００５５】
その結果、スライド４はばね４５の作用に抗して上昇させられる。したがって、スライド４の歯プロファイル４３がトラック３の歯プロファイル３３と係合してトラック３上のスライド４の移動が阻止され、冠歯車４４の歯プロファイルが支持板７の座部７７の歯プロファイル７８と係合して突起部５０周りの支持板７の回転が阻止される。明らかに、図１Ａの変形例において、球部材５３は、球状座部３５の内側で支持板７によって押圧され、球部材の回転及びスライド４のトラック３に沿った移動が阻止される。
【００５６】
使用者が支持板７の位置を調節しなければならない時、使用者は非固定位置に操作レバー９２を操作する。操作装置９のカム９４は把持装置のレバー８の筒状ブロックの端部において作用し、把持装置が突起部５０を把持するのを解放する。その結果、ばね４５の作用によって、支持板７がスライド４に関して上昇させられ、それゆえ、冠歯車４４は、歯付き座部７７から外れ、支持板７が突起部５０回りに回転することができるようになる。
【００５７】
さらに、支持板７の重量によってスライド４を下方に押し、その結果、スライド４の鋸歯状プロファイル４３がトラック３の鋸歯状プロファイル３３から外れ、それにより、トラック３上のスライド４の移動と、スライド４が移動する時に、スライドと一体のままである支持板７の移動も可能である。明らかに、図１Ａの変形例では、この状況において、球部材５３は、支持板７によって押圧されず、座部内において回転自由であり、トラック３に関してスライド４が移動しうる。
【００５８】
本発明の実施例について、公知のタイプのスノーボード結合具が嵌合しうる支持部材１を参照して説明してきた。しかしながら、本発明は、従来の基部の代りに、前述のような支持部材を有するタイプのスノーボード結合具にも及んでいる。
【００５９】
実際には、支持板７は二つの側壁及び踵片も有しうる。使用者のブーツを覆うための固定フックを有するストリップが側壁に固定され、踵スポイラーが踵片に接続されている。
【００６０】
当業者の能力の範囲内で本発明を、添付した特許請求の範囲によって記載した発明の範囲から逸脱することなく多く変形及び修正しうる。
【図面の簡単な説明】
【００６１】
【図１】離して示されているスノーボードと、本発明の支持部材の一部を形成しているいくつかの要素とを示している分解斜視図である。
【図１Ａ】本発明の支持部材のトラック及びスライドの組立体の変形実施例を示している分解斜視図である。
【図２】本発明の支持部材の一部を形成している他の要素の分解斜視図である。
【図３】下から見た図２に示されている支持板の平面図である。
【図４】離して示されているボード上に取り付けられている、本発明の支持部材の全体的な斜視図である。
【国際公開パンフレット】
2004520127.tif 000003
2004520127.tif 000004
2004520127.tif 000005
2004520127.tif 000006
2004520127.tif 000007
2004520127.tif 000008
2004520127.tif 000009
2004520127.tif 000010
2004520127.tif 000011
2004520127.tif 000012
2004520127.tif 000013
2004520127.tif 000014
2004520127.tif 000015
2004520127.tif 000016
2004520127.tif 000017
2004520127.tif 000018
2004520127.tif 000019
2004520127.tif 000020
【国際調査報告】
2004520127.tif 000021
2004520127.tif 000022